(57)【要約】【課題】多数の画像表示装置を有するマルチディスプレイシステムを少ない数の情報処理装置で実現可能とする。【解決手段】情報処理装置１００は、画像表示装置としてのプロジェクタＰＪ１〜ＰＪ４が表示すべき部分画像に対応する部分画像データを合成して個々の画像表示装置の解像度よりも高い解像度を有する合成画像データを生成する合成画像データ生成部１１１と、合成画像データを出力する画像データ出力部１１３とを有し、プロジェクタＰＪ１〜ＰＪ４は、合成画像データを入力する画像データ入力部３１０と、合成画像データから部分画像データの切り出しを行って部分画像データを生成する部分画像データ生成部３４０と、部分画像データ生成部３４０で生成された部分画像を表示する画像表示部としての画像投射部３６０とを有する。【選択図】図２
2010134396.tif 000002
【特許請求の範囲】
【請求項１】
複数の画像表示装置と、前記複数の画像表示装置に対して画像データを出力する情報処理装置とを有するマルチディスプレイシステムであって、
前記情報処理装置は、
前記複数の画像表示装置の個々の画像表示装置が表示すべき部分画像に対応する部分画像データを合成して前記個々の画像表示装置の解像度よりも高い解像度を有する合成画像データを生成する合成画像データ生成部と、
前記合成画像データを出力する画像データ出力部と、
を有し、
前記画像表示装置は、
前記情報処理装置で生成された合成画像データを入力する画像データ入力部と、
当該画像表示装置が表示すべき部分画像に対応する部分画像データを前記合成画像データから切り出す部分画像データ生成部と、
前記部分画像データ生成部で切り出された部分画像データに基づいて前記部分画像を表示する画像表示部と、
を有することを特徴とするマルチディスプレイシステム。
【請求項２】
請求項１に記載のマルチディスプレイシステムにおいて、
前記情報処理装置はビデオカードを有し、
前記ビデオカードは前記合成画像データ生成部及び前記画像データ出力部として機能することを特徴とするマルチディスプレイシステム。
【請求項３】
請求項１又は２に記載のマルチディスプレイシステムにおいて、
前記合成画像データは、前記合成画像データの横方向及び縦方向のそれぞれの解像度が、前記個々の画像表示装置が有する横方向及び縦方向のそれぞれの解像度の整数倍に設定されることを特徴とするマルチディスプレイシステム。
【請求項４】
請求項１〜３のいずれかに記載のマルチディスプレイシステムにおいて、
前記情報処理装置から出力される合成画像データを前記個々の画像表示装置に並列的に分配可能な画像データ分配装置をさらに有することを特徴とするマルチディスプレイシステム。
【請求項５】
請求項１〜４のいずれかに記載のマルチディスプレイシステムにおいて、
前記情報処理装置は、前記部分画像データに対して画像補正を含む画像処理を施すことを特徴とするマルチディスプレイシステム。
【請求項６】
請求項５に記載のマルチディスプレイシステムにおいて、
前記部分画像データに対して施す画像補正は、前記複数の画像表示装置の個体差に基づく画像補正を含むことを特徴とするマルチディスプレイシステム。
【請求項７】
請求項６に記載のマルチディスプレイシステムにおいて、
前記個体差に基づく画像補正は、色に関する補正であることを特徴とするマルチディスプレイシステム。
【請求項８】
請求項１〜７のいずれかに記載のマルチディスプレイシステムにおいて、
前記複数の画像表示装置は、複数のプロジェクタであって、前記複数のプロジェクタは、個々のプロジェクタが表示する部分画像がスクリーン上で並んだ状態で表示されるように設置されていることを特徴とするマルチディスプレイシステム。
【請求項９】
請求項８に記載のマルチディスプレイシステムにおいて、
前記情報処理装置は、前記個々のプロジェクタが表示する部分画像の形状に関する補正を当該部分画像に対応する部分画像データに対して行うことを特徴とするマルチディスプレイシステム。
【請求項１０】
請求項９に記載のマルチディスプレイシステムにおいて、
前記部分画像の形状に関する補正は、前記個々のプロジェクタが表示する部分画像の表示サイズの補正及び前記個々のプロジェクタが表示する部分画像の歪補正の少なくとも１つを含むことを特徴とするマルチディスプレイシステム。
【請求項１１】
請求項８〜１０のいずれかに記載のマルチディスプレイシステムにおいて、
前記情報処理装置は、前記スクリーンに表示される画像全体のキーストーン補正を行うことを特徴とするマルチディスプレイシステム。
【請求項１２】
請求項１１に記載のマルチディスプレイシステムにおいて、
前記キーストーン補正は、前記個々のプロジェクタが表示する部分画像に対応した補正パラメータを用いて前記個々のプロジェクタが表示する部分画像ごとに台形歪を補正することによって行われることを特徴とするマルチディスプレイシステム。
【請求項１３】
請求項８〜１２のいずれかに記載のマルチディスプレイシステムにおいて、
前記個々のプロジェクタが表示する部分画像が互いに関連性を有する部分画像であって、前記互いに関連性を有する部分画像によって１つの大画面画像が形成されることを特徴とするマルチディスプレイシステム。
【請求項１４】
請求項１３に記載のマルチディスプレイシステムにおいて、
前記個々のプロジェクタが表示する部分画像が、それぞれ隣接する画像間において重畳領域を有するように表示され、
前記情報処理装置は、前記個々のプロジェクタごとに前記重畳領域を考慮した部分画像データを生成して、該部分画像データを合成した合成画像データを生成することを特徴とするマルチディスプレイシステム。
【請求項１５】
請求項１４に記載のマルチディスプレイシステムにおいて、
前記部分画像データを合成した合成画像データは、前記重畳領域におけるエッジブレンディング処理が施されていることを特徴とするマルチディスプレイシステム。
【請求項１６】
複数の画像表示装置と、前記複数の画像表示装置に対して画像データを出力する情報処理装置とを有するマルチディスプレイシステムにおける前記情報処理装置であって、
前記複数の画像表示装置の個々の画像表示装置が表示すべき部分画像に対応する部分画像データを合成して前記個々の画像表示装置の解像度よりも高い解像度を有する合成画像データを生成する合成画像データ生成部と、
前記合成画像データを出力する画像データ出力部と、
を有することを特徴とする情報処理装置。
【請求項１７】
複数の画像表示装置と、前記複数の画像表示装置の各画像表示装置が表示すべき画像に対応する画像データを出力する情報処理装置とを有するマルチディスプレイシステムにおける画像データ処理方法であって、
前記情報処理装置は、
前記複数の画像表示装置の個々の画像表示装置が表示すべき部分画像に対応する部分画像データを合成して前記個々の画像表示装置の解像度よりも高い解像度を有する合成画像データを生成するステップと、
前記合成画像データを出力するステップと、
を有し、
前記画像表示装置は、
前記情報処理装置で生成された合成画像データを入力するステップと、
当該画像表示装置が表示すべき部分画像に対応する部分画像データを前記合成画像データから切り出すステップと、
前記切り出された部分画像データに基づいて前記部分画像を表示するステップと、
を有することを特徴とするマルチディスプレイシステムにおける画像データ処理方法。
【発明の詳細な説明】
【技術分野】
【０００１】
本発明は、マルチディスプレイシステム、マルチディスプレイシステムにおいて用いられる情報処理装置及びマルチディスプレイシステムにおける画像データ処理方法に関する。
【背景技術】
【０００２】
複数の投射型の画像表示装置（プロジェクタという）から投射される画像をスクリーン上で並べて表示するマルチディスプレイシステムや、複数の直視型の画像表示装置を並べることによって複数の画像を同時に表示させるマルチディスプレイシステムが知られている。このようなマルチディスプレイシステムは、各画像表示装置において表示する画像に対して色補正、歪み補正など様々な画像処理を施す必要がある。
【０００３】
特に、複数のプロジェクタを用いて１つの大画面画像を表示するようなマルチディスプレイシステムにおいては、隣接する画像間の画像処理を綿密に行う必要がある。例えば、隣接する画像の継ぎ目を目立たなくするようにするために、複数のプロジェクタによって表示される個々の画像が、それぞれ隣接する画像間において重畳領域を有するように表示を行うことが従来から一般的に行われている。このように、重畳領域を有した表示を行う場合、重畳領域が視認されにくくなるようにする処理（エッジブレンディング処理という）を施すことが不可欠である。
【０００４】
このようなマルチディスプレイシステムにおいて画像補正を含む様々な画像処理は、パーソナルコンピュータ（ＰＣという）のハードウエアの１つとして機能するビデオカードに搭載されたＧＰＵ（Graphic Processing Unit）で実行することによって、より高度な
画像処理が可能となり、高品質な画像を表示させることができる。
【０００５】
また、プロジェクタが表示すべき画像に対応する画像データはＰＣで生成して、ＰＣで生成された画像データをプロジェクタに送るようにするのが一般的であり、複数のプロジェクタを有するマルチディスプレイシステムにおいては、個々のプロジェクタが表示する画像はそれぞれ対応するＰＣで生成して出力する必要がある。したがって、プロジェクタを複数台用いる場合には、ＰＣも複数台必要とする。
【０００６】
ところで、ＧＰＵを搭載したビデオカードでは、一般的には２系統の出力が可能であり、特別なビデオカードを使用しても、現在では８系統までが限度である。したがって、８台を超えるプロジェクタによって構成されているマルチディスプレイシステムでは、複数のＰＣを使用せざるを得ない。なお、８系統の出力が可能なビデオカードはきわめて高価であるため、一般的に使用できるビデオカードであるとはいえない。
【０００７】
したがって、２系統の画像データ出力が可能な一般的なビデオカードを用いれば、１つのＰＣで少なくとも２台のプロジェクタに同時に画像データを出力することは可能であるが、それ以上のプロジェクタを用いたマルチディスプレイシステムを構成しようとする場合には、複数のＰＣを必要とする。
【０００８】
このように、多数のプロジェクタを用いてマルチディスプレイシステムを構成する場合には、プロジェクタの台数に応じた数のＰＣを必要とし、マルチディスプレイシステムの肥大化、構成の複雑化及び高コスト化を招くこととなる。これに対処するために、多数のプロジェクタを有するマルチディスプレイシステムを最小限の数のＰＣで実現可能とする
技術は従来から提案されている（例えば、特許文献１参照）。
【０００９】
特許文献１に開示された技術（従来のマルチディスプレイシステムという）は、例えば、１台のＰＣと、該ＰＣからの画像データを並列的に分配可能な画像データ分配装置と、該画像データ分配装置に接続された複数の画像表示装置（プロジェクタとする）とを有し、複数のプロジェクタの個々のプロジェクタは、画像データ分配装置によって分配された画像データから自身が表示すべき画像に対応する画像データを切り出して表示を行うことにより、１つの大画面画像を表示するものである。
【先行技術文献】
【特許文献】
【００１０】
【特許文献１】特開２００６−３４９７９１号公報
【発明の概要】
【発明が解決しようとする課題】
【００１１】
上記した従来のマルチディスプレイシステムによれば、画像データ分配装置と各プロジェクタが有する画像切り出し機能とを用いることによって、複数のプロジェクタにより大画面画像を表示するマルチディスプレイシステムを最小限の数のＰＣで実現可能としている。
【００１２】
しかしながら、従来のマルチディスプレイシステムは、例えば、重畳領域のエッジブレンディング処理や個々のプロジェクタ固有の色補正などの個々のプロジェクタに依存する画像処理は、個々のプロジェクタにおいて処理を行う必要がある。このように、従来のマルチディスプレイシステムは、各プロジェクタに依存する様々な画像処理については個々のプロジェクタの有する画像データ処理機能に依存しなければならないため、高度な画像処理が行いにくいという問題がある。
【００１３】
一方、マルチディスプレイシステムにおいて表示される画像は、より高画質化が要求されており、より高度な画像処理を行う必要がある。これを実現するには、上記した様々な補正処理を含む画像処理をＰＣ側のＧＰＵにおいて行うことが好ましいが、上記したように、一般的なビデオカードでは出力できる画像データの数にも制約があり、結局は、数台のプロジェクタによって構成されるマルチディスプレイシステムにおいても複数のＰＣを用いざるを得ないのが現状である。
【００１４】
そこで本発明は、多数の画像表示装置を有するマルチディスプレイシステムを少ない数の情報処理装置（パーソナルコンピュータ）で実現可能とし、かつ、色に関する補正及び形状に関する補正を含む画像処理をも情報処理装置側で可能とすることによって、高画質な画像の表示が可能なマルチディスプレイシステム、情報処理装置及びマルチディスプレイシステムにおける画像データ処理方法を提供することを目的とする。
【課題を解決するための手段】
【００１５】
本発明のマルチディスプレイシステムは、複数の画像表示装置と、前記複数の画像表示装置に対して画像データを出力する情報処理装置とを有するマルチディスプレイシステムであって、前記情報処理装置は、前記複数の画像表示装置の個々の画像表示装置が表示すべき部分画像に対応する部分画像データを合成して前記個々の画像表示装置の解像度よりも高い解像度を有する合成画像データを生成する合成画像データ生成部と、前記合成画像データを出力する画像データ出力部とを有し、前記画像表示装置は、前記情報処理装置で生成された合成画像データを入力する画像データ入力部と、当該画像表示装置が表示すべき部分画像に対応する部分画像データを前記合成画像データから切り出す部分画像データ生成部と、前記部分画像データ生成部で切り出された部分画像データに基づいて前記部分
画像を表示する画像表示部とを有することを特徴とする。
【００１６】
このように、本発明のマルチディスプレイシステムは、情報処理装置（例えばパーソナルコンピュータ）側では、個々の画像表示装置が表示すべき部分画像に対応する部分画像データを合成した合成画像データを生成し、生成した合成画像データを個々の画像表示装置に与え、画像表示装置側では、自身が表示すべき部分画像に対応する部分画像データを切り出して、切り出した部分画像データに基づいた画像の表示を行うという処理を行うものである。これにより、複数の画像表示装置に与えるべき複数の部分画像データを、情報処理装置から１つの画像データ（合成画像データ）として個々の画像表示装置に出力することができ、多数の画像表示装置を有するマルチディスプレイシステムを少ない数の情報処理装置で実現できる。
【００１７】
また、本発明のマルチディスプレイシステムは、合成画像データの生成処理だけでなく、各種の補正処理を含む画像処理をも情報処理装置側で行うことができる。このように、本発明のマルチディスプレイシステムにおいては、従来では各画像表示装置で行っていた画像補正を含む画像処理を情報処理装置側で行うこともできるため、高度な画像処理が可能となり、マルチディスプレイシステムにおいて表示される画像を高品質なものとすることができる。
【００１８】
なお、本発明において「部分画像」とは、個々の画像表示装置が表示する個々の画像を指すものであって、これは、互いに関連性を有する複数の画像が並べられることによって１つの大画面画像が形成される場合における複数の画像の個々の画像のことだけではなく、互いに関連性のない複数の画像が並べられて表示される場合も、複数の画像の個々の画像のことを「部分画像」という。
【００１９】
本発明のマルチディスプレイシステムにおいては、前記情報処理装置はビデオカードを有し、前記ビデオカードは前記合成画像データ生成部及び前記画像データ出力部として機能することが好ましい。
【００２０】
これにより、各種の画像補正を含む画像処理をビデオカードに搭載されているＧＰＵによって行うことができ、高度な画像処理が可能となる。また、ビデオカードは、一般的なものであっても、２系統の画像データ出力機能を有しているので、１つの出力系統のみ用いても、少なくとも２台の画像表示装置に対応する画像データの出力が可能となり、２つの出力系統を用いれば、少なくとも４台の画像表示装置に対応する画像データの出力が可能となる。
【００２１】
なお、ビデオカードの１つの出力系統について幾つのプロジェクタに対する画像データの処理が可能であるかは、マルチディスプレイシステムにおいて使用するプロジェクタの解像度、情報処理装置側（ビデオカード側）の画像データ処理能力などに依存するので、１つの出力系統について、例えば、４台の画像表示装置に対応する画像データの出力が可能となる場合もある。これにより、多数の画像表示装置を有するマルチディスプレイシステムを少ない情報処理装置で実現できる。なお、ビデオカードは情報処理装置に内蔵されているものであってもよく、また、情報処理装置に外付けされるものであってもよい。
【００２２】
本発明のマルチディスプレイシステムにおいては、前記合成画像データは、前記合成画像データの横方向及び縦方向のそれぞれの解像度が、前記個々の画像表示装置が有する横方向及び縦方向のそれぞれの解像度の整数倍に設定されることが好ましい。
【００２３】
このように、合成画像データの横方向及び縦方向それぞれの解像度を、各画像表示装置が有する横方向及び縦方向のそれぞれの解像度の整数倍に設定することにより、例えば、
横方向及び縦方向にそれぞれ複数台の画像表示装置によってマルチディスプレイシステムを構成した場合、各画像表示装置の有する解像度の画像データをそのまま切り出すことができ、各画像表示装置においてスケーリング処理などを行う必要がなくなる。
【００２４】
本発明のマルチディスプレイシステムにおいては、前記情報処理装置から出力される合成画像データを前記個々の画像表示装置に並列的に分配可能な画像データ分配装置をさらに有することが好ましい。
【００２５】
これにより、情報処理装置側で生成された合成画像データを複数の画像表示装置に並列的に分配することができる。
【００２６】
本発明のマルチディスプレイシステムにおいては、前記情報処理装置は、前記部分画像データに対して画像補正を含む画像処理を施すことが好ましい。
【００２７】
このように、従来では各画像表示装置で行っていた各種の画像補正を含む画像処理を情報処理装置側で行うことにより、高度な画像処理を行うことができる。
【００２８】
本発明のマルチディスプレイシステムにおいては、前記部分画像データに対して施す画像補正は、前記複数の画像表示装置の個体差に基づく画像補正を含むことが好ましい。
【００２９】
このように、従来では各画像表示装置で行っていた画像表示装置の個体差に基づく画像補正を情報処理装置側で行うことにより、高度な補正が可能となり、マルチディスプレイシステムにおいて表示される画像を高品質なものとすることができる。なお、このような補正は、補正を行う際に必要な補正パラメータを情報処理装置の画像データ処理装置に与えておくことによって実現することができる。
【００３０】
本発明のマルチディスプレイシステムにおいては、前記個体差に基づく画像補正は、色に関する補正であることが好ましい。
【００３１】
色に関する補正としては、例えば、個々の画像表示装置の個体差による色の違いを補正する処理や個々の画像表示装置固有の色むらを補正する処理などを例示することができる。このような色に関する補正を情報処理装置側で行うことによって、高度な補正が可能となる。
【００３２】
本発明のマルチディスプレイシステムにおいては、前記複数の画像表示装置は、複数のプロジェクタであって、前記複数のプロジェクタは、個々のプロジェクタが表示する部分画像がスクリーン上で並んだ状態で表示されるように設置されていることが好ましい。
【００３３】
本発明によれば、多数のプロジェクタを有するマルチディスプレイシステムを少ない数の情報処理装置で実現できる。また、合成画像データの生成処理及び補正処理などを含む画像処理を情報処理装置側で行うことができるので、高度な画像処理が可能となり、マルチディスプレイシステムにおいて表示される画像を高品質なものとすることができる。
【００３４】
本発明のマルチディスプレイシステムにおいては、前記情報処理装置は、前記個々のプロジェクタが表示する部分画像の形状に関する補正を当該部分画像に対応する部分画像データに対して行うことが好ましい。
【００３５】
このように、従来では各プロジェクタで行っていた形状に関する補正を情報処理装置側で行うことにより、高度な補正が可能となり、マルチディスプレイシステムにおいて表示される画像を高品質なものとすることができる。なお、このような補正は、補正を行う際
に必要な補正パラメータを情報処理装置の画像データ処理装置に与えておくことによって実現することができる。
【００３６】
本発明のマルチディスプレイシステムにおいては、前記個々のプロジェクタが表示する部分画像の表示サイズの補正及び前記個々のプロジェクタが表示する部分画像の歪補正の少なくとも１つを含むことが好ましい。
【００３７】
これにより、各プロジェクタが表示する画像のサイズを均一化することができ、また、レンズ歪などによる非線形な歪も補正することができる。
【００３８】
前記情報処理装置は、前記スクリーン上に表示される画像全体のキーストーン補正を行うことが好ましい。
【００３９】
これは、スクリーンに対する各プロジェクタの投射角度によって生じる台形歪を補正するものであり、このようなキーストーン補正を行うことによって、スクリーンの表示画像を矩形にすることができる。
【００４０】
本発明のマルチディスプレイシステムにおいては、前記キーストーン補正は、前記個々のプロジェクタが表示する部分画像に対応した補正パラメータを用いて前記個々のプロジェクタが表示する部分画像ごとに台形歪を補正することによって行われることが好ましい。
【００４１】
これは、キーストーン補正を行う際、個々のプロジェクタが表示すべき部分画像ごとに与えられた補正パラメータによって各プロジェクタが表示すべき部分画像に対応する部分画像データに対して補正を行うというものであり、これにより、個々のプロジェクタが表示すべき部分画像の歪の度合いに応じた補正を行うことができ、スクリーン上に表示される全体の画像を適切に矩形とすることができる。
【００４２】
本発明のマルチディスプレイシステムにおいては、前記個々のプロジェクタが表示する部分画像が互いに関連性を有する部分画像であって、前記互いに関連性を有する部分画像によって１つの大画面画像が形成されることが好ましい。
【００４３】
これは、互いに関連性を有する部分画像によって１つの大画面画像を形成するようなマルチディスプレイシステムの場合であり、このようなマルチディスプレイシステムの場合は、１つの大画面画像に対応する画像データを、個々のプロジェクタに対応した部分画像データに分割し、分割された部分画像データに対して画像補正など所定の画像処理を施し、画像処理の施された部分画像を合成した合成画像データを個々のプロジェクタに与える。このような処理を行うことによって、互いに関連性を有する部分画像によって１つの大画面画像を形成するマルチディスプレイシステムを構成することができる。
【００４４】
本発明のマルチディスプレイシステムにおいては、前記個々のプロジェクタが表示する部分画像が、それぞれ隣接する画像間において重畳領域を有するように表示され、前記情報処理装置は、前記個々のプロジェクタごとに前記重畳領域を考慮した部分画像データを生成して、該部分画像データを合成した合成画像データを生成することが好ましい。
【００４５】
これによって、個々のプロジェクタでは、自身が表示すべき部分画像データの切り出しを行う際、重畳領域を含めた部分画像データを切り出すことができる。
【００４６】
本発明のマルチディスプレイシステムにおいては、前記部分画像データを合成した合成画像データは、前記重畳領域におけるエッジブレンディング処理が施されていることが好
ましい。
【００４７】
エッジブレンディング処理は、重畳領域が視認されにくくなるようにする処理であり、本発明のマルチディスプレイシステムにおいては、エッジブレンディング処理を情報処理装置の画像データ処理装置において行うようにしている。情報処理装置側でエッジブレンディング処理を施すことにより、各プロジェクタ側ではエッジブレンディング処理を行わなくて済み、また、高精度なエッジブレンディング処理を行うことできる。
【００４８】
本発明の情報処理装置は、複数の画像表示装置と、前記複数の画像表示装置に対して画像データを出力する情報処理装置とを有するマルチディスプレイシステムにおける前記情報処理装置であって、前記複数の画像表示装置の個々の画像表示装置が表示すべき部分画像に対応する部分画像データを合成して前記個々の画像表示装置の解像度よりも高い解像度を有する合成画像データを生成する合成画像データ生成部と、前記合成画像データを出力する画像データ出力部とを有することを特徴とする。
【００４９】
このような情報処理装置を用いることにより前記した本発明のマルチディスプレイシステムを構成することができる。なお、本発明の情報処理装置においても前記本発明のマルチディスプレイシステムが有するそれぞれの特徴を有することが好ましい。
【００５０】
本発明のマルチディスプレイシステムにおける画像データ処理方法は、複数の画像表示装置と、前記複数の画像表示装置の各画像表示装置が表示すべき画像に対応する画像データを出力する情報処理装置とを有するマルチディスプレイシステムにおける画像データ処理方法であって、前記情報処理装置は、前記複数の画像表示装置の個々の画像表示装置が表示すべき部分画像に対応する部分画像データを合成して前記個々の画像表示装置の解像度よりも高い解像度を有する合成画像データを生成するステップと、前記合成画像データを出力するステップとを有し、前記画像表示装置は、前記情報処理装置で生成された合成画像データを入力するステップと、当該画像表示装置が表示すべき部分画像に対応する部分画像データを前記合成画像データから切り出すステップと、前記切り出された部分画像データに基づいて前記部分画像を表示するステップとを有することを特徴とする。
【００５１】
このようなステップを情報処理装置及び画像表示装置において実行することにより、前記本発明のマルチディスプレイシステムと同様の効果を得ることができる。なお、本発明のマルチディスプレイシステムにおける画像データ処理方法においても前記本発明のマルチディスプレイシステムが有するそれぞれの特徴を有することが好ましい。
【図面の簡単な説明】
【００５２】
【図１】実施形態に係るマルチディスプレイシステムの構成を示す図。
【図２】実施形態に係るマルチディスプレイシステムの機能ブロック図。
【図３】それぞれのプロジェクタが有する画像の切り出し機能について説明する図。
【図４】互いに関連性のない４つの画像をスクリーン上で並べて表示する場合について説明する図。
【図５】互いに関連する４つの部分画像をスクリーン上で１つの大画面画像として表示する場合について説明する図。
【図６】表示サイズを補正する例について説明する図。
【図７】非線形な歪を補正する例について説明する図。
【図８】キーストーン補正を行う例について説明する図。
【発明を実施するための形態】
【００５３】
以下、本発明の実施形態について説明する。
図１は実施形態に係るマルチディスプレイシステムの構成を示す図である。実施形態に
係るマルチディスプレイシステムは、図１に示すように、画像データ処理装置としてのビデオカード１１０及び表示すべき画像データを取得する画像データ取得部１２０を有する情報処理装置としてのパーソナルコンピュータ（ＰＣという）１００と、複数台（横方向及び縦方向にそれぞれ２台の合計４台とする）のプロジェクタＰＪ１〜ＰＪ４と、ＰＣ１００から出力される画像データを各プロジェクタＰＪ１〜ＰＪ４に分配する画像データ分配装置２００を有している。
【００５４】
なお、図１においては、個々のプロジェクタＰＪ１〜ＰＪ４によって表示される個々の画像（部分画像という）がそれぞれ隣接する部分画像間において重畳領域を有するように表示される例が示されているが、重畳領域を設けないで表示する場合にも適用できる。
【００５５】
画像データ取得部１２０によって取得される画像データは、ＰＣ１００上で生成される画像データ（動画、静止画を問わない）であってもよく、外部で生成されてＰＣ１００に取り込まれた画像データであってもよい。
【００５６】
各プロジェクタＰＪ１〜ＰＪ４は、画像データ分配装置２００によって分配された画像データから、自身が表示すべき部分画像に対応する部分画像データを切り出す画像データ切り出し機能を有している。また、各プロジェクタＰＪ１〜ＰＪ４の解像度は、ＸＧＡ（１０２４画素×７６８画素）であるとする。
【００５７】
図２は実施形態に係るマルチディスプレイシステムの機能ブロック図である。図２に示すように、ＰＣ１００に設けられるビデオカード１１０は、プロジェクタＰＪ１〜ＰＪ４が個々に表示すべき部分画像に対応する部分画像データに対して画像補正を含む所定の画像処理を施すとともに、部分画像データを合成して個々のプロジェクタの解像度よりも高い解像度の合成画像データを生成する合成画像データ生成部１１１と、合成画像データ生成部１１１で生成された画像データ（合成画像データという）を記憶する画像データ記憶部１１２と、合成画像データを出力する画像データ出力部１１３とを有している。なお、合成画像データ生成部１１１は、ビデオカード１１０に搭載されたＧＰＵの機能の１つとしての処理を行うものであり、その処理の内容については後述する。
【００５８】
なお、合成画像データ生成部１１１で生成される合成画像データの解像度（横方向の解像度及び縦方向の解像度）は、個々のプロジェクタの横方向の解像度及び縦方向の解像度のそれぞれ整数倍とすることが好ましい。なお、実施形態に係るマルチディスプレイシステムにおいては、整数倍の「整数」はプロジェクタの横方向及び縦方向の台数とする。
【００５９】
すなわち、個々のプロジェクタの横方向の解像度をＭ、横方向のプロジェクタの台数をａとしたとき、合成画像データの横方向の解像度は「Ｍ×ａ」であるとし、個々のプロジェクタの縦方向の解像度をＮ、縦方向のプロジェクタの台数をｂとしたとき、合成画像データの縦方向の解像度は「Ｎ×ｂ」であるとする。具体的には、実施形態に係るマルチディスプレイシステムにおいては、個々のプロジェクタの横方向の解像度を１０２４画素、縦方向の解像度を７６８画素とし、プロジェクタは横方向に２台、縦方向に２台としているので、合成画像データの横方向の解像度は２０４８画素、縦方向の解像度は１５３６画素となる。
【００６０】
画像データ分配装置２００は、ＰＣ１００の画像データ出力部１１３から出力される合成画像データをプロジェクタＰＪ１〜ＰＪ４に並列的に分配する。なお、画像データ分配装置２００からプロジェクタＰＪ１〜ＰＪ４に分配される合成画像データは、スクリーンＳＣＲ上に表示される全体の画像に対応する画像データである。
【００６１】
プロジェクタＰＪ１〜ＰＪ４は、画像データ分配装置２００から分配されてくる合成画
像データを入力する画像データ入力部３１０と、自身が表示すべき画像の切り出し位置が設定される切り出し位置設定部３２０と、切り出し位置設定部３２０に設定された切り出し位置を保持する切り出し位置記憶部３３０と、切り出し位置記憶部３３０に保持されている切り出し位置に基づいて画像データ入力部３１０に入力された合成画像データの切り出しを行い、自身が表示すべき部分画像に対応する部分画像データを生成する部分画像データ生成部３４０と、部分画像データ生成部３４０で生成された部分画像データを保持する画像データ記憶部３５０と、画像データ記憶部３５０に保持されている部分画像データに基づく部分画像を生成してスクリーンＳＣＲに投射する画像表示部としての画像投射部３６０とを有している。
【００６２】
画像投射部３６０は、光源、光変調素子、光源から光を光変調素子に導くための光学系、光変調素子で生成された画像を投射する投射光学系など、一般的なプロジェクタが有する公知の構成要素を有するものであるのでその詳細な説明は省略する。
【００６３】
なお、図２においては、プロジェクタＰＪ１〜ＰＪ４の構成は、プロジェクタＰＪ１のみについて示されているが、プロジェクタＰＪ２〜ＰＪ４についても同様の構成を有している。
【００６４】
図３はそれぞれのプロジェクタが有する画像の切り出し機能について説明する図である。図３（ａ）は、画像データ分配装置２００によって分配された合成画像データに対応する画像（合成画像）であるとする。図３（ｂ）は、ある１つのプロジェクタ（プロジェクタＰＪ１とする）において部分画像の切り出しを行う際の切り出し位置設定例を示す図であり、図３（ｃ）は、切り出された部分画像の表示例である。
【００６５】
図３に示すように、プロジェクタＰＪ１は、切り出し位置設定部３２０によって設定された切り出し位置（切り出し位置記憶部３３０に保持されている切り出し位置）に基づいて、部分画像データ生成部３４０が合成画像データから部分画像データの切り出しを行う。そして、切り出した部分画像データに対し、自身の解像度に合わせる処理（スケーリング処理）などを行ったのちに、切り出した部分画像データに基づく部分画像を画像投射部３６０によって投射する。なお、切り出した部分画像データの解像度が自身の有する解像度と同じであれば、スケーリング処理は行う必要はない。
【００６６】
図３の例では、合成画像の左上端部位置を「０」、上端辺における右端位置を「１．０」、左端辺の下端位置を「１．０」としたとき、プロジェクタＰＪ１において設定された切り出し位置は、左側切り出し位置（ｌｅｆｔ）が「０．２５」、右側切り出し位置（ｒｉｇｈｔ）が「０．７５」、上側切り出し位置（ｔｏｐ）が「０．２５」、下側（底側）切り出し位置（ｂｏｔｔｏｍ）が「０．７５」に設定された場合である。
【００６７】
次に、ＰＣ１００における合成画像データの生成処理について説明する。実施形態に係るマルチディスプレイシステムにおいては、４台のプロジェクタＰＪ１〜ＰＪ４を横方向２台、縦方向２台とし、４台のプロジェクタＰＪ１〜ＰＪ４の個々のプロジェクタの解像度は、１０２４画素×７６８画素としている。このため、ＰＣ１００からは１０２４画素×７６８画素で構成される画像データを４画面分として合成した合成画像データを生成する。すなわち、ＰＣ１００では２０４８画素×１５３６画素の解像度の合成画像データを生成する。
【００６８】
図４は互いに関連性のない４つの部分画像をスクリーン上で並べて表示する場合について説明する図である。この場合、ＰＣ１００では、互いに関連性のない４つの部分画像に対応するそれぞれの部分画像データを合成して１つの合成画像データを生成して、生成した合成画像データをビデオカード１１０の１つの出力系統から画像データ分配装置２００
に出力する。画像データ分配装置２００からは各プロジェクタＰＪ１〜ＰＪ４に対して合成画像データが並列的に分配される。
【００６９】
図４（ａ），（ｂ），（ｃ），（ｄ）は、プロジェクタＰＪ１〜ＰＪ４が表示すべき部分画像である。ＰＣ１００においては、図４（ａ）〜（ｄ）に示す部分画像に対応する画像データを画像データ取得部１２０によってそれぞれ取得し、取得したそれぞれの画像データ（部分画像データ）を合成した合成画像データを生成する（図４（ｅ）参照）。このとき、合成画像データの横方向の解像度は、個々のプロジェクタの横方向の解像度の２倍（１０２４×２＝２０４８画素）とし、合成画像データの縦方向の解像度も、個々のプロジェクタの縦方向の解像度の２倍（７６８×２＝１５３６画素）とする。
【００７０】
このような画像データの合成は、ビデオカード１１０の合成画像データ生成部１１１によって行われる。そして、生成された合成画像データは、画像データ記憶部１１２に保持されたのち、画像データ出力部１１３により、１つの画像データとして１つの出力系統から画像データ分配装置２００に出力される。画像データ分配装置２００では、合成画像データを各プロジェクタＰＪ１〜ＰＪ４に分配する。
【００７１】
一方、プロジェクタＰＪ１〜ＰＪ４においては、画像データ分配装置２００から分配されてきた合成画像データがそれぞれの画像データ入力部３１０に入力される。そして、プロジェクタＰＪ１〜ＰＪ４は、それぞれの切り出し位置設定部３２０に設定された切り出し位置に基づいて合成画像データから自身が表示すべき部分画像データを切り出す。この部分画像データの切り出しは、図３において説明したように、プロジェクタＰＪ１〜ＰＪ４においてそれぞれ設定された切り出し位置、すなわち、左側切り出し位置（ｌｅｆｔ）、右側切り出し位置（ｒｉｇｈｔ）、上側切り出し位置（ｔｏｐ）、下側（底側）切り出し位置（ｂｏｔｔｏｍ）に基づいて行われる。
【００７２】
例えば、プロジェクタＰＪ１においては、切り出し位置（ｌｅｆｔ，ｒｉｇｈｔ，ｔｏｐ，ｂｏｔｔｏｍ）がそれぞれ（０，０．５，０，０．５）と設定されているので、その切り出し位置に基づいて切り出しを行うことにより、自身が表示すべき部分画像に対応する部分画像データの切り出しがなされる。他のプロジェクタＰＪ２〜ＰＪ４についても同様に、それぞれのプロジェクタにおいて設定された切り出し位置に基づいて切り出しを行う。
【００７３】
プロジェクタＰＪ１〜ＰＪ４の画像投射部３６０では、自身において切り出された部分画像データに基づく部分画像を生成してスクリーンＳＣＲに部分画像を表示する。これにより、スクリーンＳＣＲ上では、図４（ａ）〜（ｄ）に示すような部分画像が横方向及び縦方向にそれぞれ２つずつ並べられた状態で表示（タイリング表示）される。すなわち、スクリーンＳＣＲ上では図４（ｅ）に示すような表示がなされる。
【００７４】
なお、図４は互いに関連性のない４つの部分画像を表示する場合であったが、本発明は、互いに関連性を有する４つの部分画像をスクリーン上で１つの大画面画像として表示する場合にも適用することができる。
【００７５】
図５は互いに関連性を有する４つの部分画像をスクリーン上で１つの大画面画像として表示する場合について説明する図である。なお、図５は、プロジェクタＰＪ１〜ＰＪ４によって表示される個々の部分画像がそれぞれ隣接する部分画像間において重畳領域を有するように表示される場合である。
【００７６】
図５（ａ），（ｂ），（ｃ），（ｄ）は、プロジェクタＰＪ１〜ＰＪ４が表示すべき部分画像であり、それぞれの重畳領域Ｐにはエッジブレンディング処理が施されている。ま
た、図５（ｅ）はスクリーンＳＣＲ上で表示すべき大画面画像であり、これは、図５（ａ），（ｂ），（ｃ），（ｄ）に示す４つの部分画像がそれぞれ隣接する部分画像間において重畳領域を有するようにタイリング表示された画像である。
【００７７】
図５に示すようなタイリング表示を行うために、ＰＣ１００においては、プロジェクタＰＪ１〜ＰＪ４が表示すべき部分画像に対応する部分画像データに対し、それぞれの重畳領域Ｐにおけるエッジブレンディング処理などの各種の画像処理を施したのちに、それぞれの部分画像データを合成した合成画像データを生成する（図５（ｆ）参照）。
【００７８】
このようなエッジブレンディング処理及び部分画像データを合成する合成処理は、合成画像データ生成部１１１により行うことができる。合成画像データ生成部１１１で生成された合成画像データ（エッジブレンディング処理の施された合成画像データ）は、画像データ記憶部１１２に書き込まれる。なお、重畳領域Ｐに存在する各画素は、隣接するプロジェクタにおいて共通の画素であるので、画像データ記憶部１１２には同じ画素の画像データが重複して書き込まれる。
【００７９】
そして、画像データ記憶部１１２に書き込まれた合成画像データは、画像データ出力部１１３によって、１つの出力系統から画像データ分配装置２００に出力される。画像データ分配装置２００では、図５（ｆ）に示す合成画像に対応する合成画像データをプロジェクタＰＪ１〜ＰＪ４に分配する。
【００８０】
一方、プロジェクタＰＪ１〜ＰＪ４においては、画像データ分配装置２００から分配されてきた合成画像データをそれぞれの画像データ入力部３１０が入力し、プロジェクタＰＪ１〜ＰＪ４において設定された切り出し位置に基づいて自身が表示すべき部分画像に対応する部分画像データを切り出す。
【００８１】
この場合、プロジェクタＰＪ１においては、（ｌｅｆｔ，ｒｉｇｈｔ，ｔｏｐ，ｂｏｔｔｏｍ）がそれぞれ（０，０．５，０，０．５）と設定されているので、設定されている切り出し位置に基づいて切り出しを行う。他のプロジェクタＰＪ２〜ＰＪ４についても同様に、設定された切り出し位置に基づいて切り出しを行う。そして、切り出した部分画像データに基づいてプロジェクタＰＪ１〜ＰＪ４のそれぞれの画像投射部３６０が図５（ａ）〜（ｄ）の部分画像をそれぞれ投射する。なお、図５（ａ）〜（ｄ）に示す部分画像は、それぞれの重畳領域Ｐにおいてエッジブレンディング処理がなされているので、それぞれ隣接する部分画像におけるそれぞれの重畳領域Ｐを重ねて表することによって、スクリーンＳＣＲ上では重畳領域が視認されにくい画像（図５（ｅ）参照）となる。
【００８２】
また、プロジェクタＰＪ１〜ＰＪ４の色の個体差による個々の部分画像間の色の違いを補正するための色補正処理や、プロジェクタＰＪ１〜ＰＪ４固有の色むらの補正なども、これらの補正を行うための補正パラメータをＰＣ１００に与えておけば、ビデオカード１１０の合成画像データ生成部１１１においてこれらの補正処理をそれぞれの部分画像データに施すことができる。
【００８３】
そして、補正処理された部分画像データを合成した合成画像データをプロジェクタＰＪ１〜ＰＪ４に与えることによって、プロジェクタＰＪ１〜ＰＪ４では、当該合成画像データから補正済みの部分画像データを切り出すことができる。なお、本発明においては、個々の部分画像間の色の違いを補正するための補正や色むらの補正をまとめて「色に関する補正」と呼ぶことにする。
【００８４】
このような色に関する補正は、互いに関連性を有する４つの部分画像をスクリーン上で１つの大画面画像として表示する場合（図５参照）だけでなく、互いに関連性のない４つ
の部分画像をスクリーン上で並べて表示する場合（図４参照）においても同様に行うことができる。
【００８５】
また、合成画像データ生成部１１１においては、色に関する補正だけでなく、各プロジェクタが表示した部分画像の相対的な大きさ（表示サイズという）の補正や部分画像の歪補正なども可能である。特に、各プロジェクタが表示した部分画像の表示サイズが異なったり、画像に歪が生じていたりすると、隣接する画像間における重畳領域を正確に設定することができず、適切なエッジブレンディング処理が行えない。このため、各プロジェクタが表示する部分画像に対して、表示サイズ補正や画像の歪補正を適切に行うことは重要である。なお、本発明においては、部分画像の表示サイズ補正や画像の歪補正などの補正をまとめて「形状に関する補正」と呼ぶことにする。
【００８６】
このような形状に関する補正を行う際も、色に関する補正を行う場合と同様、形状に関する補正を行うための補正パラメータをＰＣ１００側に与えておけば、ＰＣ１００のビデオカード１１０の合成画像データ生成部１１１では、形状に関する補正をそれぞれの部分画像データに施すことができる。
【００８７】
図６は表示サイズを補正する例について説明する図である。図６（ａ）はプロジェクタＰＪ１〜ＰＪ４からの部分画像がスクリーンＳＣＲでタイリング表示された状態を模式的に示す図であり、隣接する部分画像間に重畳領域を有している。
【００８８】
このように、隣接する部分画像間において重畳領域を有するようにタイリング表示を行うためには、図５において説明したように、ＰＣ１００の合成画像データ生成部１１１においては、プロジェクタＰＪ１〜ＰＪ４が表示すべき部分画像に対応する部分画像データに対し、それぞれの重畳領域におけるエッジブレンディング処理などの各種の画像処理を施したのちに、それぞれの部分画像データを合成した合成画像データを生成する。そして、このように生成された合成画像データに基づいて、各プロジェクタＰＪ１〜ＰＪ４においては、自身が表示すべき部分画像データを切り出して表示を行う。
【００８９】
このとき、図６（ａ）に示すように、プロジェクタＰＪ２が表示した部分画像が他のプロジェクタＰＪ１〜ＰＪ２の部分画像に比べて大きな表示サイズとなったとする。図６（ａ）に示すように、各プロジェクタで表示される画像の表示サイズが異なると、重畳領域が隣接する画像間で均一とはならずエッジブレンディング処理を行う場合、適正なエッジブレンディング処理が行えない。
【００９０】
そこで、合成画像データ生成部１１１では、プロジェクタＰＪ２に対応する部分画像データに対して、表示サイズを補正するための部分画像データ（表示サイズ補正用部分画像データという）を生成する（図６（ｂ）参照）。なお、図６（ｂ）において灰色で示す領域は黒画像領域である。
【００９１】
すなわち、合成画像データ生成部１１１においては、プロジェクタＰＪ２の部分画像が他のプロジェクタの部分画像よりも大きな表示サイズとなってしまうことを考慮して、プロジェクタＰＪ２に対する部分画像データとして、黒画像領域を有する部分画像データ（表示サイズ補正用部分画像データ）を生成する。
【００９２】
この表示サイズ補正用部分画像データは、スクリーンＳＣＲに表示される部分画像が、表示すべきサイズとなるように、補正前の部分画像データを縮小するとともに、表示すべきでない部分を黒画像領域としたものである。なお、図６（ｂ）に示すような表示サイズ補正用部分画像データを生成する際の補正パラメータ（黒画像領域を設定する際の位置データなど）は、例えば、スクリーンＳＣＲに表示された画像を撮像手段（図示せず）で撮
像して得られた撮像画像データに基づいて設定することができる。
【００９３】
図６（ｃ）は、各プロジェクタＰＪ１〜ＰＪ４に対する部分画像データを合成した合成画像データを模式的に示すものであり、プロジェクタＰＪ２に対する部分画像データは黒画像領域を有する部分画像データ（表示サイズ補正用部分画像データ）となっている。なお、図６（ｃ）に示す合成画像データを構成するそれぞれの部分画像データはエッジブレンディング処理が施されているものとする。
【００９４】
図６（ｃ）に示すような合成画像データが各プロジェクタＰＪ１〜ＰＪ４に与えられると、各プロジェクタＰＪ１〜ＰＪ４では、自身が表示すべき部分画像データを切り出して表示を行う。このとき、プロジェクタＰＪ２においては、表示サイズ補正用部分画像データにより部分画像を表示するので、プロジェクタＰＪ２により表示される部分画像は、他のプロジェクタと同じ表示サイズとなる。このため、プロジェクタＰＪ１〜ＰＪ４によって表示される各部分画像は同じ表示サイズでの表示がなされる（図６（ｄ）参照）。
【００９５】
なお、図６（ｄ）に示すような表示を行うことにより、黒画像領域が黒浮きとして現れることとなるが、この黒浮きをなくすためには、遮光板を黒画像領域に対応するように設置することで、黒浮きを目立たなくすることが可能である。
【００９６】
また、図６に示すような単純な線形の形状補正に限らず、レンズ歪などによる非線形な歪も補正することができる。
【００９７】
図７は非線形な歪を補正する例について説明する図である。なお、図７では、ある１つのプロジェクタが表示する部分画像を示している。図７（ａ）はレンズ歪などによる非線形な歪を含んだ部分画像（非線形歪部分画像という）であり、図７（ｂ）は、図７（ａ）に示す非線形歪部分画像を補正するための部分画像データ（非線形歪補正用部分画像データという）を模式的に示すものである。
【００９８】
この非線形歪補正用部分画像データは、スクリーンＳＣＲに表示される部分画像が、歪の除去された矩形の部分画像となるように、補正前の部分画像データを補正したものである。図７（ｂ）に示す非線形歪補正用部分画像データを当該プロジェクタに与えることによって、図７（ａ）に示すような非線形歪部分画像は、図７（ｃ）の太線で示すように歪が除去された矩形の部分画像とすることができる。
【００９９】
このように、非線形歪部分画像に対しては図７に示すような補正を行うことによって非線形歪を除去することができる。なお、各プロジェクタＰＪ１〜ＰＪ４における部分画像の表示サイズが異なる場合には、図７に示す非線形歪補正を行った後、図６で説明したような表示サイズ補正を行えばよい。
【０１００】
また、プロジェクタＰＪ１〜ＰＪ４によって表示される全体の画像（例えば、図５（ｅ）参照）に、スクリーンに対する各プロジェクタＰＪ１〜ＰＪ４の投射角度に基づく台形歪が生じている場合、これを補正するための補正（キーストーン補正）を行うことも可能である。
【０１０１】
図８はキーストーン補正を行う例について説明する図である。なお、図８においては、プロジェクタＰＪ２が表示する部分画像に対応する部分画像データは、表示サイズ補正用部分画像データとなっているものとする。
【０１０２】
図８（ａ）は、プロジェクタＰＪ１〜ＰＪ４によってスクリーンＳＣＲに表示される画像全体に台形歪が生じている様子を示すものであり、灰色で示す領域は、プロジェクタＰ
Ｊ２の部分画像における黒画像領域である。
【０１０３】
プロジェクタＰＪ１〜ＰＪ４によってスクリーンＳＣＲに表示される画像全体に図８（ａ）に示すような台形歪が生じた場合には、合成画像データ生成部１１１では、個々のプロジェクタが表示する部分画像ごとに異なる補正パラメータを生成する。そして、当該補正パラメータにより各部分画像の台形歪を補正するための部分画像データ（台形歪補正用部分画像データという）を各部分画像ごとに生成し、各部分画像ごとに生成された台形歪補正用部分画像データを合成した合成画像データを生成する。なお、台形歪補正用部分画像データは、スクリーンＳＣＲに表示される部分画像が、キーストーン補正のなされた画像となるように、補正前の部分画像データを補正したものである。
【０１０４】
図８（ｂ）は、合成画像データ生成部１１１によって生成された合成画像データを模式的に示すものである。なお、図８（ｂ）において、灰色で示す領域は黒画像領域である。このような合成画像データが各プロジェクタＰＪ１〜ＰＪ４に与えられると、各プロジェクタＰＪ１〜ＰＪ４においては、ＰＣ１００から与えられた合成画像データから自身が表示すべき部分画像を切り出して表示を行う。これにより、スクリーンＳＣＲでは図８（ｃ）に示すように、キーストーン補正がなされた画像となる。
【０１０５】
ところで、図６及び図７で説明した表示サイズ補正及び歪補正を行う際の各補正パラメータと、図８において説明したキーストーン補正を行う際の補正パラメータは、撮像手段でスクリーン上に表示された画像を撮像して得られた撮像画像データに基づいて自動的に生成することが可能であるが、ユーザが手作業で生成してもよい。
【０１０６】
また、上記した表示サイズ補正及び／又は歪補正と、図８に示すようなキーストーン補正とを共に行う場合は、例えば、表示サイズ補正及び／又は歪補正を行った後にキーストーン補正を行うというように予め補正の順序を設定して行ってもよく、また、これらの補正を合算して１つの演算として行うようにしてもよい。
【０１０７】
以上説明したように、実施形態に係るマルチディスプレイシステムにおいては、ＰＣ１００に設けられたビデオカード１１０の合成画像データ生成部１１１によって、プロジェクタＰＪ１〜ＰＪ４が表示すべき部分画像に対応する部分画像データにエッジブレンディング処理、色に関する補正及び形状に関する補正などの各種の画像処理を施して合成して、個々のプロジェクタの解像度よりも高い解像度を有する合成画像データを生成する。そして、生成された合成画像データをビデオカード１１０の画像データ出力部１１３から画像データ分配装置２００に出力するようにしている。
【０１０８】
このように、実施形態に係るマルチディスプレイシステムにおいては、４つのプロジェクタＰＪ１〜ＰＪ４に与えるべき４つの画像データ（４つの部分画像データ）を合成して、１つの画像データ（１つの合成画像データ）として出力するようにしている。これにより、２つの出力系統を有する一般的なビデオカードの一方の出力系統のみ用いることによっても、１台のＰＣで４台のプロジェクタＰＪ１〜ＰＪ４に与えるべき画像データを出力することができる。
【０１０９】
したがって、このような一般的なビデオカードの２つの出力系統を用いれば、１台のＰＣで８台のプロジェクタに対する画像データを生成して出力することができる。さらに、８系統の出力が可能な高価なビデオカードを用いることが可能であれば、１つの出力系統につき４台のプロジェクタの画像データを出力可能とした場合、１台のＰＣで３２台のプロジェクタに対する画像データを生成して出力することができる。
【０１１０】
なお、ビデオカード１１０の１つの出力系統について幾つのプロジェクタに対する画像
データの処理が可能であるかは、マルチディスプレイシステムにおいて使用するプロジェクタの解像度、ＰＣ側（ビデオカード側）の画像データ処理能力などに依存する。現在の一般的なＰＣ（ビデオカード）であれば、プロジェクタの解像度がＸＧＡ（１０２４画素×７６８画素）の場合は、１つの出力系統について４台のプロジェクタに対する画像データ生成及び出力処理は十分可能であり、また、最近の家庭用プロジェクタなどに多く採用されている、いわゆるフルハイビジョン規格（１９２０画素×１０８０画素）の解像度であっても十分に対応可能であると考えられる。
【０１１１】
また、実施形態に係るマルチディスプレイシステムにおいては、ビデオカードに搭載されたＧＰＵによって色に関する補正及び形状に関する補正などの画像補正を含む画像処理を施すようにしているので、プロジェクタにおいてこれらの画像処理を施す場合に比べて高度な画像処理が可能となり、表示される画像を高画質化することができるという効果もえられる。
【０１１２】
また、一般的なＰＣは、実施形態に係るマルチディスプレイシステムを実現可能なビデオカードを有しているものが多く、また、プロジェクタにおいても画像の切り出し機能を有しているのが一般的であるので、実施形態に係るマルチディスプレイシステムを実現する際に、ＰＣ及びプロジェクタそれぞれに特別なハードウエアを備える必要がなく、マルチディスプレイシステムを安価に構築することができる。
【０１１３】
なお、本発明は上記の実施形態に限られるものではなく、本発明の要旨を逸脱しない範囲で種々変形実施可能となるものである。例えば、下記（１）〜（３）に示すような変形実施も可能である。
【０１１４】
（１）上記した実施形態に係るマルチディスプレイシステムにおいては、複数の画像表示装置としてプロジェクタを用いたマルチディスプレイシステムを例示したが、直視型の画像表示装置を並べて構成したマルチディスプレイシステムであってもよい。このように直視型の画像表示装置とした場合、それぞれの直視型の画像表示装置に画像の切り出し機能が必要となる。なお、直視型の画像表示装置とした場合は、それぞれの画像表示装置が表示する画像間において重畳領域は存在しないので、例えば、図４に示すような表示を行うマルチディスプレイシステムを構成することができる。
【０１１５】
（２）上記した実施形態に係るマルチディスプレイシステムにおいては、画像データ分配装置２００に複数（４台）のプロジェクタＰＪ１〜ＰＪ４を並列接続して、ＰＣ１００からの合成画像データをプロジェクタＰＪ１〜ＰＪ４に分配する構成としたが、画像データ分配装置２００を用いずに、それぞれのプロジェクタＰＪ１〜ＰＪ４を多段接続（カスケード接続）とした構成としてもよい。この場合、前段のプロジェクタから後段のプロジェクタに合成画像データをそのまま出力させるための外部出力端子を個々のプロジェクタＰＪ１〜ＰＪ４が有している必要があるが、このような外部出力端子を元々備えたプロジェクタも存在するので、このようなプロジェクタを用いれば容易に実施可能となる。
【０１１６】
（３）複数のプロジェクタによって表示される複数の画像がそれぞれ隣接する画像間において重畳領域を有するように表示される場合（図５参照）、上記各実施形態では、画像処理によってエッジブレンディング処理を行ったが、画像処理によるエッジブレンディング処理と、重畳領域の明るさを調整可能な遮光板による光学的なエッジブレンディング手段とを併用することも可能である。
【符号の説明】
【０１１７】
１００・・・情報処理装置（ＰＣ）、１１０・・・画像データ処理装置（ビデオカード）、１１１・・・合成画像データ生成部（ＧＰＵ）、１１２・・・画像データ記憶部、１
１３・・・画像データ出力部、２００・・・画像データ分配装置、３１０・・・画像データ入力部、３２０・・・切り出し位置設定部、３３０・・・切り出し位置記憶部、３４０・・・部分画像データ生成部、ＰＪ１〜ＰＪ４・・・プロジェクタ、Ｐ・・・重畳領域、ＳＣＲ・・スクリーン
【図１】
2010134396.tif 000003
【図２】
2010134396.tif 000004
【図３】
2010134396.tif 000005
【図４】
2010134396.tif 000006
【図５】
2010134396.tif 000007
【図６】
2010134396.tif 000008
【図７】
2010134396.tif 000009
【図８】
2010134396.tif 000010